(57)【要約】一例では、電子装置の処理装置は、この第１の電子装置の（符号化音声以外の）ディジタルデータを第２の電子装置のリソースに供給するかどうかを決定するように構成される。前記処理装置は、第１の電子装置のディジタルデータを前記リソースに供給するという決定に応答して、第１の全二重音声プロファイルを用いて第１の電子装置の外部インタフェースを介して第２の電子装置と接続を確立するように構成される。前記処理装置は、ディジタルデータをオーディオ情報に変換し、そのオーディオ情報を確立した接続を介して送信する。
2015515193.tif 000002
【特許請求の範囲】
【請求項１】
符号化音声通信用の第１の全二重音声プロファイル及び符号化音声以外のディジタルデータ通信用の第２のデータプロフィルを含む複数のプロファイルと関連する短距離通信プロトコルを用いて外部と通信するインタフェース、及び
前記インタフェースに結合された処理装置を備える電子装置（以後第１の電子装置という）であって、前記処理装置は、
前記第１の電子装置の符号化音声以外のディジタルデータを第２の電子装置のリソースに供給するかどうかを決定し、
前記第１の電子装置のディジタルデータを前記リソースに供給するという決定に応答して、前記第１の全二重音声プロファイルを用いて前記第２の電子装置と前記インタフェースを介して接続を確立し、
前記ディジタルデータをオーディオ情報に変換し、
前記オーディオ情報を前記確立した接続を介して送信する、
ように構成されている、電子装置。
【請求項２】
前記処理装置は、更に、
前記オーディオ情報を前記確立した接続を介して送信後、前記第１の全二重音声プロファイルを用いて前記第２の電子装置から前記インタフェースを介して新たなオーディオ情報を受信し、
前記新たなオーディオ情報の受信に応答して、前記受信した新たなオーディオ情報から新たなディジタルデータを復元する、
ように構成されている、請求項１記載の電子装置。
【請求項３】
前記短距離通信プロトコルはブルートゥースを含み、前記複数のプロファイルは複数のブルートゥースプロファイルを含む、請求項２記載の電子装置。
【請求項４】
前記第１の全二重音声プロファイルはブルートゥースヘッドセットプロファイル（ＨＳＰ）を含む、請求項３記載の電子装置。
【請求項５】
前記第２の電子装置は携帯電話を含む、請求項４記載の電子装置。
【請求項６】
前記リソースは前記携帯電話のセルラトランシーバを含む、請求項５記載の電子装置。
【請求項７】
前記リソースは、持続性記憶装置、ＧＰＳトランシーバ、アクセロメータ、及びマイクロプロセッサのうちの少なくとも１つを含む、請求項４記載の電子装置。
【請求項８】
前記第１の全二重音声プロファイルはオーディオゲートウェイプロファイルを含む、請求項１記載の電子装置。
【請求項９】
前記オーディオ情報はディジタル符号化ＰＣＭストリームを含む、請求項１記載の電子装置。
【請求項１０】
前記処理装置は更に、前記第１の電子装置の前記ディジタルデータを前記リソースに供給するという決定に応答して、インバンドモデムを用いて前記ディジタルデータをオーディオ情報に変換するように構成されている、請求項１記載の電子装置。
【請求項１１】
処理装置による実行に応答して前記処理装置に複数の処理を実行させる命令が記憶されたメモリ装置であって、前記複数の処理は、
第１の電子装置及び第２の電子装置との間に確立された短距離接続を介してオーディオ情報を受信する処理、
前記受信オーディオ情報からディジタルデータを復元するかどうかを決定する処理、
前記受信オーディオ情報からディジタルデータを復元しないという決定に応答して、前記受信オーディオ情報から音声データを復元する処理、及び
前記受信オーディオ情報からディジタルデータを復元するという決定に応答して、前記受信オーディオ情報をアプリケーション層ソフトウェアによる消費に適したディジタルフォーマットに復調する処理、
を含む、メモリ装置。
【請求項１２】
前記受信オーディオ情報は前記確立された接続のオーディオチャネルを介して受信され、前記確立された接続はブルートゥースヘッドセット接続を含む、請求項１１記載のメモリ装置。
【請求項１３】
前記ブルートゥースヘッドセット接続はブルートゥースヘッドセットプロファイル（ＨＳＰ）を用いて確立される、請求項１２記載のメモリ装置。
【請求項１４】
符号化音声通信用の第１の全二重音声プロファイル及び符号化音声以外のディジタルデータ通信用の第２のデータプロフィルを含む複数のプロファイルと関連する短距離通信プロトコルを用いて第２の電子装置の第２のインタフェースに結合される第１のインタフェースを有する第１の電子装置を備え、
前記第１の電子装置は、第１の処理装置による実行に応答して前記第１の処理装置に第１の処理を実行させる命令が記憶された第１のメモリ装置を備え、前記第１の処理は、
前記第１の電子装置の符号化音声以外のディジタルデータを前記第２の電子装置のリソースに供給するかどうかを決定する処理、
前記第１の電子装置のディジタルデータを前記リソースに供給するという決定に応答して、前記第１の全二重音声プロファイルを用いて前記第２の電子装置と前記第１のインタフェースから接続を確立する処理、
前記ディジタルデータをオーディオ情報に変換する処理、及び
前記オーディオ情報を前記確立した接続を介して送信する処理を含み、且つ
前記第２の電子装置は、第２の処理装置による実行に応答して前記第２の処理装置に第２の処理を実行させる命令が記憶された第２のメモリ装置を備え、前記第２の処理は、
前記第２のインタフェースを介してオーディオ情報を受信する処理、
前記受信オーディオ情報からディジタルデータを復元するかどうかを決定する処理、
前記受信オーディオ情報からディジタルデータを復元しないという決定に応答して、前記受信オーディオ情報から音声データを復元する処理、及び
前記受信オーディオ情報からディジタルデータを復元するという決定に応答して、前記オーディオ情報をアプリケーション層ソフトウェアによる消費に適したディジタルフォーマットに復調する処理を含む、
システム。
【請求項１５】
前記受信オーディオ情報は前記確立された接続のオーディオチャネルを介して受信され、前記確立された接続はブルートゥースヘッドセット接続を含む、請求項１４記載のシステム。
【請求項１６】
前記ブルートゥースヘッドセット接続はブルートゥースヘッドセットプロファイル（ＨＳＰ）を用いて確立される、請求項１５記載のシステム。
【請求項１７】
前記第１の処理は、更に、
前記オーディオ情報を前記確立した接続を介して送信後、前記第１の全二重音声プロファイルを用いて前記第２の電子装置から前記第１のインタフェースを介して新たなオーディオ情報を受信する処理、
前記新たなオーディオ情報の受信に応答して、前記受信した新たなオーディオ情報から新たなディジタルデータを復元する処理、
を含む、請求項１４記載のシステム。
【請求項１８】
前記短距離通信プロトコルはブルートゥースを含み、前記複数のプロファイルは複数のブルートゥースプロファイルを含む、請求項１７記載のシステム。
【請求項１９】
前記第１の全二重音声プロファイルはブルートゥースヘッドセットプロファイル（ＨＳＰ）を含む、請求項１７記載のシステム。
【請求項２０】
前記第２の電子装置は携帯電話を含み、及び前記リソースは前記携帯電話のセルラトランシーバを含み、前記第２の処理は、更に、
前記オーディオ情報をアプリケーション層ソフトウェアによる消費に適したディジタルフォーマットに復調するのに応答して、前記セルラトランシーバを用いて前記第１及び第２の電子装置から遠く離れた第３の電子装置に情報を送信する処理を含む、請求項１９記載のシステム。
【発明の詳細な説明】
【技術分野】
【０００１】
本発明は、２０１２年３月１３日に出願された、「USING A BLUETOOTH HEADSET CONNECTION TO SEND FULL DUPLEX MODULATED DATA」と題する米国仮出願第６１／６１０，２４５号の利益を主張するものであり、その内容は参照することにより本明細書にそのまま組み込まれる。
【０００２】
（著作権情報）
（ｃ）２０１２−２０１３エアビクティ社。本出願の開示の一部は、著作権保護の対象となる題材を含む。著作権者は、特許商標庁に出願され、登録された本件または特許開示の複製に対して異議を唱えるものではない。しかし、その他のいかなる場合も、全ての著作権を留保する（米国特許規則３７ＣＦＲ§１．７１（ｄ））。
【背景技術】
【０００３】
例えばブルートゥース機能、ＵＳＢ機能等の短距離通信機能を持っているが、セルラトランシーバなどの長距離通信機能を持っていないかもしれない第１の電子装置は、短距離接続を使って携帯電話等の長距離通信機能を持っている第２の電子装置に結合し、その長距離トランシーバを第１及び第２の電子装置から遠く離れた第３の電子装置と通信するために利用することができることは知られている。また、もっと一般的には、第１の電子装置は、第２の電子装置のリソースが長距離通信機能であろうと別のリソースであろうと、第２の装置のリソースにアクセスするために第２の電子装置に短距離接続を介して結合することができる。以下に記載する開示は上述した構成配置を改善するものである。
【発明の概要】
【０００４】
本発明のいくつかの態様の基本的な理解を与えるために、発明の概要を以下に述べる。この概要は発明の主要／重要要素の特定を意図するものではなく、発明の範囲の明確化を意図するものでもない。この概要の唯一の目的は、後述する詳細な説明の前置きとして、発明のいくつかの概念を単純化した形で提示することにある。
【０００５】
一例では、（符号化された音声以外の）ディジタルデータの送信に備えて、第１の電子装置の処理装置は短距離プロトコルを用いて第１の電子装置を第２の電子装置に結合せしめる。短距離プロトコルは、符号化音声通信用の第１の全二重音声プロファイル及び（音声以外の）ディジタルデータ通信用の第２のデータプロフィルを含む複数のプロファイルと関連する。短距離プロトコルは（音声以外の）ディジタルデータ通信用の第２のデータプロファイルと関連するが、処理装置は第２のデータプロファイルを用いて接続を確立しようとしない。代わりに、処理装置は第１の全二重音声プロファイル（一例ではブルートゥースヘッドセットプロファイル（ＨＳＰ）とし得る）を用いて接続を確立する。ブルートゥースヘッドセットプロファイルは符号化音声の双方向通信用に設計されている。処理装置はディジタルデータを音声情報に変換し、その音声情報を確立されたデータ通信用の接続を介して送信する。ここで使用する「データ通信」という語は符号化音声以外のディジタルデータを通信することを意味する。
【０００６】
上述した第１の電子装置は、ブルートゥース接続を確立するために必要なハードウェア装備を持たない電子装置のリソースにディジタルデータを第２のデータプロファイルで提供することができる。例えば、いくつかの電子装置は（符号化音声以外の）ディジタルデータをブルートゥースで送信するのに必要なハードウェアの追加の層を持っていない。このような追加の層は、暗号化鍵で作成されたセキュリティチップ及び該セキュリティチップと相互作用する他の構成要素、例えば該接続チップと通信する及び／又はホスト電子装置への及びからの通信を管理する、特別に設定されたマイクロプロセッサ、を含むことができる。
【０００７】
更に、第１の電子装置は（第１の電子装置が接続を確立する相手の電子装置がこのようなハードウェアの追加の層を持つか持たないかに関わらず）このようなハードウェアの追加の層を持つ必要はない。これは、追加のハードウェア層のコンポーネントのコスト、及び第１の電子装置の設計における前記コンポーネントの使用と関連するハードウェア検証及び／又は認証コストなどの他のコストを含む製造コストを考慮すれば有利である。
【０００８】
本発明の追加の態様及び利点は、添付図面を参照する以下の好適実施形態の詳細な説明から明らかになる。
【図面の簡単な説明】
【０００９】
【図１】装置間で短距離接続を介してディジタルデータを送信する方法を示すフローチャートである。
【図２】装置間で短距離接続を介してディジタルデータを受信する方法を示すフローチャートである。
【図３】第１の電子装置のアプリケーションデータのデータ伝送路の一例を示す。
【図４】ブルートゥースヘッドセットプロファイル（ＨＳＰ）を用いて全二重変調データを送信するシステムの一例を示す。
【図５】第１の電子装置からのデータをブルートゥースの全二重音声プロファイルを用いて第２の電子装置に供給し、無線通信ネットワークを介して第３の遠隔電子装置にインバンド伝送するシステムの一例を示す。
【発明を実施するための形態】
【００１０】
図１は、装置間で短距離接続を介してディジタルデータを送信する方法を示すフローチャートである。
【００１１】
ブロック１０１において、処理装置は、第１の電子装置の（符号化音声以外の）ディジタルデータを第２の電子装置に、符号化音声通信用の第１の全二重音声プロファイル及び（音声以外の）ディジタルデータ通信用の第２のデータプロファイルを含む複数のプロファイルと関連する短距離プロトコルを用いて供給するかどうかを決定する。一例では、短距離プロトコルはブルートゥースである。一例では第１の全二重音声プロファイルはブルートゥースヘッドセットプロファイル（ＨＳＰ）を含む。
【００１２】
ブルートゥース１０２において、第１の電子装置のディジタルデータを供給するという決定に応答して、処理装置は第１の電子装置と第２の電子装置との間に第１の全二重音声プロファイルを用いて接続を確立する。リソースは、長距離トランシーバ、ＧＰＳトランシーバ、アクセロメータ、プロセッサ、持続性記憶装置などを含むことができる。
【００１３】
ブロック１０３において、処理装置はディジタルデータを音声情報に変換する。変調はハードウェア又はソフトウェアで実行し得る。一例では、変調器は既知の「インバンドシグナリング」技術を実装する。ブロック１０４において、処理装置は音声情報を確立した接続を介して送信する。
【００１４】
一例では、第２の電子装置とのブルートゥースヘッドセット接続をデータ通信チャネルとして用いることによって、第１の電子装置は、追加のハードウェア及びソフトウェア通信インタフェースを必要とすることなく、第２の電子装置上に存在するアプリケーションと通信することができる。従って、もともと音声通信用に作られた既存のヘッドセット通信をデータ通信に使用することができる。
【００１５】
このデータ通信は第１の電子装置と第２の電子装置との間のブルートゥースヘッドセット接続を用いて、第２の電子装置に変調されたデータを送信し、第２の電子装置から変調されたデータを受信することができる。この変調は、ディジタルデータがオーディオ情報に変換された任意の形のものとすることができる。第２の電子装置がオーディオ情報を受信すると、この情報はアプリケーション層のソフトウェアが理解し消費し得るディジタルフォーマットに逆変換される。
【００１６】
図２は、装置間で短距離接続を介してディジタルデータを受信する方法を示すフローチャートである。
【００１７】
ブロック２０１において、処理装置は、第１の全二重音声プロファイルを用いて確立された第２の電子装置との短距離接続を介してオーディオ情報を受信する。
【００１８】
ブロック２０２において、処理装置が受信したオーディオ情報からディジタルデータを復元するかどうかを決定する。処理装置が判断ブロック２０３において受信したオーディオ情報からディジタルデータを復元しないと決定する場合には、ブロック２０４において処理装置は受信したオーディオ情報から音声データを復元する。処理装置が判断ブロック２０３において受信したオーディオ情報からディジタルデータを復元すると決定する場合には、ブロック２０５において処理装置は受信したオーディオ情報をアプリケーション層のソフトウェアによる消費に適したディジタルフォーマットに復調する。
【００１９】
図３は、第１の電子装置のアプリケーションデータのデータ伝送路の一例を示す。
【００２０】
アプリケーションＡは第１の電子装置、例えば埋め込み装置、のアプリケーションであり、アプリケーションＢは第２の電子装置、例えば携帯電話、のアプリケーションである。第１の電子装置はアプリケーションＡからのアプリケーションデータを変調器３０１に供給する。変調器３０１は入力アプリケーションデータに基づくオーディオ情報を出力する。出力オーディオ情報はブルートゥースヘッドセット接続を用いるオーディオトランスポートを介して第２の電子装置に送信される。
【００２１】
第２の電子装置は受信した出力オーディオ情報を復調器３０３に供給してアプリケーションデータを復元する。アプリケーションＢは復元されたアプリケーションデータを消費し得る。
【００２２】
図４は、ブルートゥースヘッドセットプロファイル（ＨＳＰ）接続を用いて埋め込み装置からの全二重変調データを携帯電話に送信するシステムの一例を示す。
【００２３】
埋め込み装置及び携帯電話の各々は、ピアとアプリケーションメッセージを交換する必要がある場合に動作するアプリケーション層ソフトウェアを備える。ブルートゥースモジュール４０１は、ブルートゥース無線ハードウェア、ブルートゥーススタックファームウェア、及びブルートゥースヘッドセットプロファイルを含むことができる。ブルートゥースモジュール４１１は、ブルートゥース無線ハードウェア、ブルートゥーススタックファームウェア、及びブルートゥースオーディオゲートウェイプロファイルを含むことができる。
【００２４】
オーディオ装置４０２及び４１２の各々はブルートゥースモジュールのオーディオインタフェースとのインタフェース及び関連するアプリケーションへの及びからのディジタル符号化ＰＣＭストリームの提供に責任を持つ。
【００２５】
ソフトウェア変調器４０４及び４１４及びソフトウェア復調器４０３及び４１３はアプリケーション層データへの及びからのディジタルオーディオ情報を処理するように構成し得る。
【００２６】
埋め込み装置及び携帯電話上のアプリケーション層に存在する通信タスク４０５及び４１５の各々はピア通信タスクへのアプリケーション層メッセージの通信に責任を持つ。
【００２７】
図５は、第１の電子装置からのデータを、ブルートゥースの全二重音声プロファイルを用いて、無線通信ネットワークを介して第３の遠隔電子装置へインバンド伝送する第２の電子装置に供給するシステムの一例を示す。
【００２８】
本例システム５００では、電子装置５０４はインバンドシグナリング（ＩＢＳ）モデムを備えることができる。処理装置５０１は、電子装置５０４のＩＢＳモデム５０２を携帯電話５０５等のピア装置への送信のために使用するかどうかを決定し得る。その決定は、携帯電話５０５が無線通信ネットワークを利用したデータ送信のためにインバンドシグナリングを使用するように構成されているかどうかに基づくものとし得る。携帯電話５０５がインバンドシグナリングを使用するように構成されているという決定に応答して、処理装置５０１はＩＢＳモデム５０２を選択し、オーディオ情報５０３を発生し得る。
【００２９】
処理装置５０６は、受信したオーディオ情報５０３がインバンドシグナリングを含むかどうかを決定する。処理装置５０６は、受信したオーディオ情報がインバンドシグナリングを含まないという決定に応答して、受信したオーディオ情報の表現を、例えばパケットデータ接続トランシーバを用いて送信する前に、復調器を用いて受信したオーディオ情報を復調することができる。処理装置５０６は、受信したオーディオ情報５０３がインバンドシグナリングを含むという決定に応答して、復調を回避し、受信したオーディオ情報５０３を無線通信ネットワークを介して伝送するために、受信したオーディオ情報５０３を通過させることができる。後者の場合には、リモート装置５０９がオーディオ情報５０３を受信し、電子装置５０１のＩＢＳモデム５０２に対応するＩＢＳモデム５１２を用いてオーディオ情報５０３を復調する。
【００３０】
同様に、処理装置５０６は、リモート装置５０９からインバンドシグナリング経由で受信される情報は復調すべきか通過させるべきかを決定する。一例では、処理装置５０６は、リモート装置５０９からインバンドシグナリング経由で受信される情報はオーディオ情報５０３に対応するかどうかを決定することができる。リモート装置５０９からインバンドシグナリング経由で受信される情報がオーディオ情報５０３に対応する場合、処理装置５０６は復調を回避し、リモート装置５０９からインバンドシグナリング経由で受信される情報をブルートゥース無線接続へ通過させることができる。
【００３１】
上述した機器の大部分はハードウェア及び関連ソフトウェアよりなる。例えば、典型的なナビゲーション装置は、上述した動作を実行するために１以上のプロセッサ及びこれらのプロセッサで実行可能なソフトウェアを含む可能性が高い。本明細書ではソフトウェアという語は、プログラム又はルーチン（サブルーチン、オブジェクト、プラグインなど）並びにマシン又はプログラムにより使用可能なデータに関連して、一般に理解されている意味で使用する。周知のように、コンピュータプログラムは概して、機械可読又はコンピュータ可読蓄積媒体に記憶された命令を備える。本発明のいくつかの実施形態はディジタルメモリなどの機械可読又はコンピュータ可読記憶媒体に格納された実行可能なプログラム又は命令を含み得る。また、通常の意味での「コンピュータ」が任意の特定の実施形態に必要とされることを暗示していない。例えば、埋め込まれた又はそうでない、様々なプロセッサを、本明細書に記載した様々なコンポーネントのような装置に使用してもよい。
【００３２】
ソフトウェアを格納するメモリもよく知られている。いくつかの実施形態では、所定のプロセッサと関連するメモリはプロセッサと同じ物理的装置（「オンボード」メモリ）、例えば集積回路マイクロプロセッサなど内に配置されたＲＡＭ又はＦＬＡＳＨに格納することができる。他の例では、メモリとしては、外部ディスクドライブ、メモリアレイ、又は携帯ＦＬＡＳＨキーフォブなどの独立メモリを含んでもよい。このような場合には、メモリはディジタルプロセッサと、両者が動作可能に結合される又は例えばＩ／Ｏポート、ネットワーク接続などにより互いに通信可能にされるとき、プロセッサがメモリに格納されたファイルを読み取ることができるように関連付けられる。関連付けられたメモリは設計により又は設定許可により「リードオンリメモリ」（ＲＯＭ）としてもよいし、しなくてもよい。他の例として、ＷＯＲＭ、ＥＰＲＯＭ、ＥＥＰＲＯＭ，ＦＬＡＳＨなども含まれるが、これらに限定されない。これらの技術は多くの場合固体半導体装置に実装される。他のメモリとして、従来の回転ディスクドライブのように可動部を含むものもある。これらのメモリはすべて「機械可読」又は「コンピュータ可読」メモリであり、本明細書に記載した機能を実現する実行可能な命令を格納するために使用することができる。
【００３３】
ソフトウェアプロダクト」は一連の実行命令がマシン可読形態で記憶されたメモリ装置のことであり、適切なマシン又はプロセッサが、ソフトウェアプロダクトへの適切なアクセスによって、命令を実行することによってその命令で実現されるプロセスを実施する。ソフトウェアプロダクトはソフトウェアを頒布するのに使用されることもある。これまで概要を説明したものを含め、それらに限定されることなく、あらゆる型の機械可読メモリがソフトウェアプロダクトを構成するのに使用可能である。従って、電子送信（「ダウンロード」）によってソフトウェアを頒布することが可能であることも公知であり、このような場合、一般的に、送信の送信側若しくは受信側、又はその両方に、対応するソフトウェアプロダクトが存在することになる。
【００３４】
本発明の原理を好適な実施形態において説明し例示してきたが、このような原理を逸脱することなく、本発明の構成や詳細に変更を加えることができることは明らかである。本発明は、以下の請求項の精神及び範囲に入るあらゆる修正及び変更についても特許を請求するものである。
【図１】
2015515193.tif 000003
【図２】
2015515193.tif 000004
【図３】
2015515193.tif 000005
【図４】
2015515193.tif 000006
【図５】
2015515193.tif 000007
【国際調査報告】
2015515193.tif 000008